(57)【要約】【課題】ユーザの使い勝手のよいテレビジョンシステムおよびそのテレビジョンシステムに向けられるリモコン装置を提供する。【解決手段】ユーザによるテレビジョン装置２００の視聴時には、テレビジョン装置２００で生成された放送音声信号は、リモコン装置２５０へ送信され、ジャック部Ｊ１を介してヘッドセット３０６のスピーカ部３０８から出力される。一方、ユーザによる電話使用時には、通話先からの受話音声信号は、テレビジョン装置２００からリモコン装置２５０へ送信され、ジャック部Ｊ１を介してヘッドセット３０６のスピーカ部３０８から出力される。並行して、ユーザが発した音声は、ヘッドセット３０６のマイク部３１０で送話音声信号に変換され、リモコン装置２５０からテレビジョン装置２００へ送信された後、通話先へ送出される。【選択図】図１
2008166980.tif 000002
【特許請求の範囲】
【請求項１】
テレビジョン装置と、赤外線を介して当該テレビジョン装置を遠隔操作するためのリモコン装置とからなるテレビジョンシステムであって、
前記テレビジョン装置は、
制御部と、
装置外部からの放送信号を受信して映像信号および放送音声信号を出力するための放送用受信部と、
インターネットプロトコル（ＩＰ）を利用して通話先との間で通話を行なうためのＩＰ電話機能部と、
無線電波を用いて、前記リモコン装置との間で音声信号を送受信可能な第１送受信部とを備え、
前記リモコン装置は、
入力される音声信号に従って音声を出力するスピーカ部と、入力される音声に応じた音声信号を生成するマイク部とを含む音声入出力装置を接続可能なジャック部と、
前記第１送受信部との間で前記音声信号を送受信可能な第２送受信部と、
前記ジャック部と前記第２送受信部との間に設けられる音声処理部とを備え、
前記制御部は、
ユーザによる前記テレビジョン装置の視聴時に、前記放送用受信部からの前記放送音声信号を前記第１送受信部へ与える第１送信手段と、
ユーザによる電話使用時に、前記ＩＰ電話機能部によって受信される前記通話先からの受話音声信号を前記第１送受信部へ与える第２送信手段とを含み、
前記音声処理部は、
ユーザによる前記テレビジョン装置の視聴時に、前記第２送受信部で受信される前記第１送受信部からの前記放送音声信号を前記ジャック部を介して外部出力する第１出力手段と、
ユーザによる電話使用時に、前記第２送受信部で受信される前記第１送受信部からの前記受話音声信号を前記ジャック部を介して外部出力する第２出力手段と、
ユーザによる電話使用時に、前記ジャック部を介して入力される音声信号を前記第２送受信部へ与える第３送信手段とを含み、
前記制御部は、さらに、
ユーザによる電話使用時に、前記１送受信部で受信される前記第２送受信部からの音声信号を前記ＩＰ電話機能部へ与え、送話音声信号として前記通話先へ送出させる第３出力手段を含む、テレビジョンシステム。
【請求項２】
テレビジョン装置と、第１無線信号を介して当該テレビジョン装置を遠隔操作するためのリモコン装置とからなるテレビジョンシステムであって、
前記テレビジョン装置は、
第２無線信号を用いて、前記リモコン装置との間で音声信号を送受信するための第１送受信部と、
通話先との間で通話を行なうための電話機能部とを備え、
前記リモコン装置は、
前記第１送受信部との間で音声信号を送受信するための第２送受信部と、
入力される音声信号に従って音声を出力する第１スピーカ部と、入力される音声に応じた音声信号を生成する第１マイク部とを含む音声入出力装置を接続可能なジャック部と、
前記ジャック部に接続される音声処理部とを備え、
前記電話機能部は、前記通話先からの第１音声信号を前記第１送受信部へ与えるように構成され、
前記音声処理部は、前記第２送受信部によって受信される前記第１送受信部からの前記第１音声信号を前記ジャック部を介して外部出力するとともに、前記ジャック部を介して入力される第２音声信号を前記第２送受信部へ与えるように構成され、
前記電話機能部は、さらに、前記第１送受信部によって受信される前記第２送受信部からの前記第２音声信号を前記通話先へ送出するように構成される、テレビジョンシステム。
【請求項３】
前記テレビジョン装置は、装置外部からの放送信号を受信して映像信号および第３音声信号を出力するための放送用受信部をさらに備え、
前記放送用受信部は、前記第３音声信号を前記第１送受信部へ与えるように構成され、
前記音声処理部は、さらに、前記第２送受信部によって受信される前記第１送受信部からの前記第３音声信号を前記ジャック部を介して外部出力するように構成される、請求項２に記載のテレビジョンシステム。
【請求項４】
前記テレビジョン装置は、
ユーザ操作および前記電話機能部における着信の少なくとも一方に応答して、視聴モードおよび電話モードのいずれかを選択する選択手段と、
前記選択手段によって前記視聴モードが選択されると、前記第１音声信号の前記第１送受信部から前記第２送受信部への送信を無効化するための第１切換手段と、
前記選択手段によって前記電話モードが選択されると、前記第３音声信号の前記第１送受信部から前記第２送受信部への送信を無効化するための第２切換手段とをさらに備える、請求項３に記載のテレビジョンシステム。
【請求項５】
前記リモコン装置は、
前記音声処理部と接続され、入力される音声に応じた音声信号を生成する第２マイク部と、
前記音声入出力装置の接続状態を判断する接続判断手段とをさらに備え、
前記音声処理部は、前記接続判断手段によって前記音声入出力装置が非接続状態であると判断されると、前記第２マイク部から出力される音声信号を前記第２音声信号として前記第２送受信部へ与えるように構成される、請求項２〜４のいずれか１項に記載のテレビジョンシステム。
【請求項６】
前記テレビジョン装置は、
入力される音声信号に従って音声を出力する第２スピーカ部と、
前記接続判断手段によって前記音声入出力装置が非接続状態であると判断されると、前記第１音声信号を前記第２スピーカ部へ出力する音声出力手段とをさらに備える、請求項５に記載のテレビジョンシステム。
【請求項７】
前記テレビジョン装置は、ユーザによる前記リモコン装置の操作に応答して、前記通知先の識別番号についての入力状態を視覚的に表示するための入力反映手段をさらに備える、請求項２〜６のいずれか１項に記載のテレビジョンシステム。
【請求項８】
前記第１無線信号の消費電力は、前記第２無線信号の消費電力に比較して小さい、請求項２〜７のいずれか１項に記載のテレビジョンシステム。
【請求項９】
前記電話機能部は、インターネットプロトコルを利用して前記通話先との間で通話を行なうように構成される、請求項２〜８のいずれか１項に記載のテレビジョンシステム。
【請求項１０】
第１無線信号を介してテレビジョン装置を遠隔操作するためのリモコン装置であって、
前記テレビジョン装置は、
第２無線信号を用いて、前記リモコン装置との間で音声信号を送受信するための第１送受信部と、
通話先との間で通話を行なうための電話機能部とを備え、
前記電話機能部は、前記通話先からの第１音声信号を前記第１送受信部へ与えるように構成されるとともに、前記第１送受信部によって受信される第２音声信号を前記通話先へ送出するように構成され、
前記リモコン装置は、
前記第１送受信部との間で音声信号を送受信するための第２送受信部と、
入力される音声信号に従って音声を出力する第１スピーカ部と、入力される音声に応じた音声信号を生成する第１マイク部とを含む音声入出力装置を接続可能なジャック部と、
前記ジャック部と前記第２送受信部との間に設けられる音声処理部とを備え、
前記音声処理部は、前記第２送受信部によって受信される前記第１送受信部からの前記第１音声信号を前記ジャック部を介して外部出力するとともに、前記ジャック部を介して入力される前記第２音声信号を前記第２送受信部へ与えるように構成される、リモコン装置。
【発明の詳細な説明】
【技術分野】
【０００１】
この発明はテレビジョンシステムおよびリモコン装置に関し、特に電話機能を内蔵するテレビジョン装置に向けられた技術に関する。
【背景技術】
【０００２】
従来から、テレビジョン装置を含めた多くの装置は、リモコン装置によって遠隔操作が可能に構成されるものが多い。このようなリモコン装置は、一般的に、ユーザの操作に応じた指令を赤外線などの無線信号を用いて送信するように構成される。
【０００３】
一般的なリモコン装置は、装置に対して指令を送信するだけの一方向伝送であることが多いが、より多くの情報を送受信できるように双方向伝送を採用したものも提案されている。一例として、特開平１０−１０８２７５号公報（特許文献１）には、本体装置を遠隔制御するためのリモコン装置に音声出力のための音声受信出力部およびヘッドホンジャックを設けた構成が開示されている。このリモコン装置によれば、本体装置からの距離に依存せずに、聞き手は自由なポジションでリスニングが可能となる。また、特開２００２−１５８８８８号公報（特許文献２）および特開平０５−０７６０８２号公報（特許文献３）にも、同様の構成を有するリモコン装置が開示されている。
【０００４】
また、特開２００５−０８００２２号公報（特許文献４）には、ＴＶリモコン機能を有する携帯電話端末を用いて、ＴＶ側でＴＶ映像を表示させるとともに、ＴＶの音声出力を当該携帯電話端末から行なう構成が開示されている。
【０００５】
ところで、近年の情報通信技術の急速な発展に伴って、テレビジョン装置を含めた多くの情報通信機器や家電機器をネットワークにより相互接続するような構成も提案されている。このようなネットワーク化されたテレビジョン装置では、ブラウザー機能を搭載することで外部ネットワークを介してさまざまな情報を取得して表示することができる。さらに、このようなネットワーク化されたテレビジョン装置に対しては、たとえばＶｏＩＰ（Voice  over  Internet  Protocol）技術を用いた電話機能を搭載することもできる。
【特許文献１】特開平１０−１０８２７５号公報
【特許文献２】特開２００２−１５８８８８号公報
【特許文献３】特開平０５−０７６０８２号公報
【特許文献４】特開２００５−０８００２２号公報
【発明の開示】
【発明が解決しようとする課題】
【０００６】
上述のような電話機能を搭載したテレビジョン装置では、相手先との通話を行なうための構成、すなわち相手先からの受話音声の出力、および相手先への送話音声の入力などに係る装置を内蔵する必要があり、ユーザは、テレビジョン装置から所定距離内で電話をせざるを得なかった。さらに、上述の特許文献１〜４に開示される発明は、電話機能を搭載したテレビジョン装置を考慮したものではなかった。そのため、テレビジョン装置に電話機能を搭載しただけでは、通話時におけるユーザの使い勝手が悪いという問題があった。
【０００７】
そこで、この発明は、かかる問題を解決するためになされたものであり、その目的は、ユーザの使い勝手のよいテレビジョンシステムおよびそのテレビジョンシステムに向けられるリモコン装置を提供することである。
【課題を解決するための手段】
【０００８】
この発明のある局面に従えば、テレビジョン装置と、赤外線を介して当該テレビジョン装置を遠隔操作するためのリモコン装置とからなるテレビジョンシステムである。そして、テレビジョン装置は、制御部と、装置外部からの放送信号を受信して映像信号および放送音声信号を出力するための放送用受信部と、インターネットプロトコル（ＩＰ）を利用して通話先との間で通話を行なうためのＩＰ電話機能部と、無線電波を用いて、リモコン装置との間で音声信号を送受信可能な第１送受信部とを備える。また、リモコン装置は、入力される音声信号に従って音声を出力するスピーカ部と、入力される音声に応じた音声信号を生成するマイク部とを含む音声入出力装置を接続可能なジャック部と、第１送受信部との間で音声信号を送受信可能な第２送受信部と、ジャック部と第２送受信部との間に設けられる音声処理部とを備える。さらに、制御部は、ユーザによるテレビジョン装置の視聴時に、放送用受信部からの放送音声信号を第１送受信部へ与える第１送信手段と、ユーザによる電話使用時に、ＩＰ電話機能部によって受信される通話先からの受話音声信号を第１送受信部へ与える第２送信手段とを含み、音声処理部は、ユーザによるテレビジョン装置の視聴時に、第２送受信部で受信される第１送受信部からの放送音声信号をジャック部を介して外部出力する第１出力手段と、ユーザによる電話使用時に、第２送受信部で受信される第１送受信部からの受話音声信号をジャック部を介して外部出力する第２出力手段と、ユーザによる電話使用時に、ジャック部を介して入力される音声信号を第２送受信部へ与える第３送信手段とを含む。制御部は、さらに、ユーザによる電話使用時に、１送受信部で受信される第２送受信部からの音声信号をＩＰ電話機能部へ与え、送話音声信号として通話先へ送出させる第３出力手段を含む。
【０００９】
この発明によれば、ユーザが電話を使用する際に、テレビジョン装置で受信される受話音声は無線電波を介してリモコン装置へ伝送され、当該リモコン装置に接続された入出力装置のスピーカ部からユーザに向けて音声出力される。同時に、ユーザが発した送話音声は、リモコン装置から無線信号を介してテレビジョン装置へ伝送され、通話先へ送出される。そのため、ユーザは、テレビジョン装置とリモコン装置との間の無線電波が到達可能な距離範囲内における任意の位置で電話を使用することができる。さらに、ユーザは、本発明に係るリモコン装置を用いてテレビジョン装置におけるチャンネル選択が可能である上に、テレビジョン装置からの放送音声を同一の音声入出力装置を用いて聞くことができる。このように、ユーザは、本発明に従うリモコン装置を携帯することで、いずれの位置であっても、テレビジョン放送の視聴および通話を行うことができる。したがって、ユーザの使い勝手のよいテレビジョンシステムを実現できる。
【００１０】
この発明の別の局面に従えば、テレビジョン装置と、第１無線信号を介して当該テレビジョン装置を遠隔操作するためのリモコン装置とからなるテレビジョンシステムである。そして、テレビジョン装置は、第２無線信号を用いて、リモコン装置との間で音声信号を送受信するための第１送受信部と、通話先との間で通話を行なうための電話機能部とを備える。また、リモコン装置は、第１送受信部との間で音声信号を送受信するための第２送受信部と、入力される音声信号に従って音声を出力する第１スピーカ部と、入力される音声に応じた音声信号を生成する第１マイク部とを含む音声入出力装置を接続可能なジャック部と、ジャック部に接続される音声処理部とを備える。さらに、電話機能部は、通話先からの第１音声信号を第１送受信部へ与えるように構成され、音声処理部は、第２送受信部によって受信される第１送受信部からの第１音声信号をジャック部を介して外部出力するとともに、ジャック部を介して入力される第２音声信号を第２送受信部へ与えるように構成され、電話機能部は、さらに、第１送受信部によって受信される第２送受信部からの第２音声信号を通話先へ送出するように構成される。
【００１１】
好ましくは、テレビジョン装置は、装置外部からの放送信号を受信して映像信号および第３音声信号を出力するための放送用受信部をさらに備え、放送用受信部は、第３音声信号を第１送受信部へ与えるように構成され、音声処理部は、さらに、第２送受信部によって受信される第１送受信部からの第３音声信号をジャック部を介して外部出力するように構成される。
【００１２】
さらに好ましくは、テレビジョン装置は、ユーザ操作および電話機能部における着信の少なくとも一方に応答して、視聴モードおよび電話モードのいずれかを選択する選択手段と、選択手段によって視聴モードが選択されると、第１音声信号の第１送受信部から第２送受信部への送信を無効化するための第１切換手段と、選択手段によって電話モードが選択されると、第３音声信号の第１送受信部から第２送受信部への送信を無効化するための第２切換手段とをさらに備える。
【００１３】
また好ましくは、リモコン装置は、音声処理部と接続され、入力される音声に応じた音声信号を生成する第２マイク部と、音声入出力装置の接続状態を判断する接続判断手段とをさらに備える。そして、音声処理部は、接続判断手段によって音声入出力装置が非接続状態であると判断されると、第２マイク部から出力される音声信号を第２音声信号として第２送受信部へ与えるように構成される。
【００１４】
さらに好ましくは、テレビジョン装置は、入力される音声信号に従って音声を出力する第２スピーカ部と、接続判断手段によって音声入出力装置が非接続状態であると判断されると、第１音声信号を第２スピーカ部へ出力する音声出力手段とをさらに備える。
【００１５】
好ましくは、テレビジョン装置は、ユーザによるリモコン装置の操作に応答して、通知先の識別番号についての入力状態を視覚的に表示するための入力反映手段をさらに備える。
【００１６】
好ましくは、第１無線信号の消費電力は、第２無線信号の消費電力に比較して小さい。
好ましくは、電話機能部は、インターネットプロトコルを利用して通話先との間で通話を行なうように構成される。
【００１７】
この発明のさらに別の局面に従えば、第１無線信号を介してテレビジョン装置を遠隔操作するためのリモコン装置である。そして、テレビジョン装置は、第２無線信号を用いて、リモコン装置との間で音声信号を送受信するための第１送受信部と、通話先との間で通話を行なうための電話機能部とを備える。また、電話機能部は、通話先からの第１音声信号を第１送受信部へ与えるように構成されるとともに、第１送受信部によって受信される第２音声信号を通話先へ送出するように構成される。さらに、リモコン装置は、第１送受信部との間で音声信号を送受信するための第２送受信部と、入力される音声信号に従って音声を出力する第１スピーカ部と、入力される音声に応じた音声信号を生成する第１マイク部とを含む音声入出力装置を接続可能なジャック部と、ジャック部と第２送受信部との間に設けられる音声処理部とを備え、音声処理部は、第２送受信部によって受信される第１送受信部からの第１音声信号をジャック部を介して外部出力するとともに、ジャック部を介して入力される第２音声信号を第２送受信部へ与えるように構成される。
【発明の効果】
【００１８】
この発明によれば、ユーザの使い勝手のよいテレビジョンシステムおよびそのテレビジョンシステムに向けられるリモコン装置を実現できる。
【発明を実施するための最良の形態】
【００１９】
この発明の実施の形態について、図面を参照しながら詳細に説明する。なお、図中の同一または相当部分については、同一符号を付してその説明は繰返さない。
【００２０】
図１は、本発明の実施の形態に従うテレビジョンシステム１００を含む全体構成を示す概略図である。
【００２１】
図１を参照して、テレビジョンシステム１００は、テレビジョン装置２００と、リモコン装置２５０とを含む。
【００２２】
テレビジョン装置２００は、宅内ネットワーク３０４と接続され、ゲートウェイ（ＧＷ）３０２を介して外部ネットワーク３０１と接続可能に構成される。なお、宅内ネットワーク３０４は、各装置を相互接続するための有線ネットワークであり、一例として、イーサネット（登録商標）規格に従ってデータ伝送が実現される。
【００２３】
そして、テレビジョン装置２００は、アンテナ（図示しない）などを介して受信する放送信号から映像信号および放送音声信号を生成し、当該映像信号に応じた映像をその画面上に表示するとともに、放送音声信号を自身のスピーカ部から出力し、もしくは無線電波ＲＤを用いて当該放送音声信号をリモコン装置２５０へ送信する。なお、放送信号は、宅内ネットワーク３０４を介して伝送される場合もある。
【００２４】
なお、テレビジョン装置２００とリモコン装置２５０との間の音声信号の伝送は、所定の伝送規格に従って実現される。一例として、本実施の形態では、ＩＥＥＥ（Institute  of  Electrical  and  Electronics  Engineers,  Inc.）８０２．１１ａ／ｂ／ｇ／ｎ／ｊとして規定される無線ＬＡＮ（Local  Area  Network）を用いる。なお、このような無線ＬＡＮは、ＷｉＦｉ（登録商標）などとも称される。さらに、無線ＬＡＮに代えて、ＩＥＥＥ８０２．１５．１として規定されるＢｌｕｅｔｏｏｔｈ（登録商標）、もしくはＩＥＥＥ８０２．１５．３ａとして規定されるＵＭＢなどを用いてもよい。このような音声伝送には、２．４ＧＨｚ帯や５．２ＧＨｚ帯などの無線電波が用いられる。
【００２５】
また、テレビジョン装置２００は、リモコン装置２５０から赤外線ＲＦを介して伝送される、ユーザの操作に応じた操作指令を受信し、当該操作指令に従って、チャンネル選択および音量調整などを実行する。
【００２６】
特に、テレビジョン装置２００は、通話先との間で通話を行なうための電話機能を有する。一例として、テレビジョン装置２００は、インターネットプロトコルを利用したＶｏＩＰ（Voice  over  Internet  Protocol）技術に従って、通話先との間で通話を行なう。また、ＶｏＩＰ技術によれば、通話に係る音声（送話音声および受話音声）はパケット化して伝送される。なお、テレビジョン装置２００は、インターネットプロトコルを用いた電話機能を有するが、通話先の電話機はＩＰ電話機には限られない。すなわち、テレビジョン装置２００と電話機３２０との間に外部ネットワーク３０１が存在すればよく、その経路上に交換機などを設けることで、従来の電話機との間で回線接続することも可能である。
【００２７】
そして、テレビジョン装置２００は、ユーザがリモコン装置２５０を用いて通話を行なえるように、通話先からの受話音声をリモコン装置２５０へ送信するとともに、リモコン装置２５０から受信される送話音声を通知先に送出する。なお、詳細については後述する。
【００２８】
リモコン装置２５０は、上述したように、ユーザ操作に応じて操作指令を生成し、赤外線ＲＦを介してテレビジョン装置２００へ送信する。なお、赤外線ＲＦによる操作指令の伝送は、リモコン装置２５０からテレビジョン装置２００への一方向伝送である。
【００２９】
また、リモコン装置２５０は、ヘッドセット３０６を接続可能なジャック部Ｊ１を備える。なお、ジャック部Ｊ１は、少なくとも、リモコン装置２５０からの外部出力経路およびリモコン装置２５０への入力経路を有する。そして、リモコン装置２５０は、テレビジョン装置２００から受信される音声信号をジャック部Ｊ１を介して外部出力するとともに、ジャック部Ｊ１を介して入力される音声信号をテレビジョン装置２００へ送信する。
【００３０】
一方、ヘッドセット３０６は、音声入出力装置であり、入力される音声信号に従って音声を出力するスピーカ部３０８と、入力される音声に応じた音声信号を生成するマイク部３１０とを含む。そして、ヘッドセット３０６は、ユーザの頭部に装着され、ユーザの耳部もしくはその周辺に当接されるスピーカ部３０８からは、ジャック部Ｊ１から出力される音声信号に応じた音声が発せられ、ユーザの口元もしくはその周辺部に位置するマイク部３１０は、ユーザの発声する音声から音声信号を生成してジャック部Ｊ１へ入力する。
【００３１】
本実施の形態では、ユーザは、リモコン装置２５０およびそれに接続されたヘッドセット３０６を用いて、テレビジョン装置２００から離れた位置においてその放送音声を聴くことができるとともに、テレビジョン装置２００の電話機能を使用して相手先と通話をすることもできる。
【００３２】
より詳細には、ユーザによるテレビジョン装置２００の視聴時には、テレビジョン装置２００で生成された放送音声信号は、リモコン装置２５０へ送信され、ジャック部Ｊ１を介してヘッドセット３０８のスピーカ部３０８から出力される。
【００３３】
一方、ユーザによる電話使用時には、通話先からの受話音声信号は、テレビジョン装置２００からリモコン装置２５０へ送信され、ジャック部Ｊ１を介してヘッドセット３０８のスピーカ部３０８から出力される。並行して、ユーザが発した音声は、ヘッドセット３０８のマイク部３１０で送話音声信号に変換され、リモコン装置２５０からテレビジョン装置２００へ送信された後、通話先へ送出される。
【００３４】
以下、上記のような動作を実現するためのテレビジョン装置２００およびリモコン装置２５０の構成について詳述する。
【００３５】
（テレビジョン装置２００の構成）
図２は、テレビジョン装置２００の概略構成図である。
【００３６】
図２を参照して、テレビジョン装置２００は、放送信号受信部１と、デスクランブラ２と、ＡＶ（Audio  Visual；映像音声）デコーダ３と、音声処理部４と、スピーカ部５と、映像処理部６と、ディスプレイ７と、ネットワークインターフェイス（ＩＦ：Interface）部８と、操作入力部９と、リモコン受光部１０と、ＣＰＵ（Central  Processing  Unit）１１と、ＲＡＭ（Random  Access  Memory）１２と、ＲＯＭ（Read  Only  Memory）１３と、送受信部１４と、ＯＳＤ（On  Screen  Display）部１６を含む。
【００３７】
放送信号受信部１は、アンテナＡＮＴを介して受信される放送信号のうち、選択されたチャンネルに対応する信号を抽出し、当該抽出した信号から搬送波を取除いた後の信号（たとえば、中間周波数信号）をデスクランブラ２へ出力する。
【００３８】
デスクランブラ２は、放送信号受信部１からスクランブル符号化されたデジタル信号に対して、解除処理もしくは復号化処理を行なった後、ＡＶデコーダ３へ出力する。なお、放送信号受信部１からアナログ信号が入力される場合には、デスクランブラ２は、処理を省略し、そのままＡＶデコーダ３へ出力する。
【００３９】
ＡＶデコーダ３は、デスクランブラ２から出力される信号から映像信号と放送音声信号とを生成する。そして、ＡＶデコーダ３は、生成した映像信号を映像処理部６へ出力するとともに、生成した放送音声信号を音声処理部４へ出力する。
【００４０】
音声処理部４は、ＡＶデコーダ３から放送音声信号を受取るとともに、後述するＣＰＵ１１を介して通話先からの受話音声信号を受取る。そして、音声処理部４は、ＣＰＵ１１からの指令に従って、放送音声信号および受話音声信号の少なくとも一方を選択的に増幅して、スピーカ部５に与える。
【００４１】
スピーカ部５は、テレビジョン装置２００の両サイド表面に配置され、音声処理部４からの増幅信号に応じた音声を発生する。具体的には、スピーカ部５は、音声処理部４から与えられる音声信号に応じて振動する振動板（たとえば、コーン紙）を含んで構成され、当該振動板の振動により空気振動を生じさせることで、音声を発生する。
【００４２】
映像処理部６は、ＡＶデコーダ３からの映像信号に応じた映像が表示されるように、ディスプレイ７を駆動する。具体的には、映像処理部６は、所定の走査クロックに同期して各画素の色情報を逐次的に出力する。
【００４３】
ディスプレイ７は、映像を表示するための表示部であり、一例として、液晶ディスプレイ（ＬＣＤ：Liquid  Crystal  Display）、プラズマディスプレイ、もしくはプロジェクタ式ディスプレイなどからなる。
【００４４】
ネットワークインターフェイス部８は、宅内ネットワーク３０４に接続され、宅内ネットワーク３０４上を流れるデータパケットを受信してＣＰＵ１１もしくはバスＢＵＳへ与えるとともに、ＣＰＵ１１もしくはバスＢＵＳから与えられるデータを宅内ネットワーク３０４へ送出する。
【００４５】
操作入力部９は、テレビジョン装置２００本体の表面などに設けられたキーボタンなどで構成され、ユーザの操作に応じた操作指令をＣＰＵ１１へ出力する。
【００４６】
リモコン受光部１０は、リモコン装置２５０から送信される赤外線ＲＦを受光し、操作指令に復号した後に、ＣＰＵ１１へ与える。
【００４７】
ＣＰＵ１１は、操作入力部９またはリモコン受光部１０からの指令に応答して、テレビジョン装置２００を構成する各部位を制御するための制御部である。また、ＣＰＵ１１は、ＲＯＭ１３などに予め格納されるプログラムを実行することで、ＩＰ電話機能部１１Ａを実現する。
【００４８】
ＩＰ電話機能部１１Ａは、ユーザの操作に応じた通話先への発呼処理、もしくは通話先からの着信処理を実行し、通話先との間で回線接続する。そして、ＩＰ電話機能部１１Ａは、当該通話先から受信される受話音声信号をバスＢＵＳを介して音声処理部４へ伝送するとともに、送受信部１４から与えられる送話音声信号を当該通話先へ送出する。
【００４９】
ＲＡＭ１２は、ＣＰＵ１１と接続され、ＣＰＵ１１で実行される処理中に生じる一時的なデータなどを格納するワークメモリとして機能する。
【００５０】
ＲＯＭ１３は、ＣＰＵ１１で実行されるプログラムなどを予め格納しており、テレビジョン装置２００の起動時にＣＰＵ１２によって読み出される。
【００５１】
送受信部１４は、リモコン装置２５０（図１）との間で音声信号を送受信するための部位であり、音声処理部４から受取る音声信号を変調した無線電波を送信するとともに、リモコン装置２５０から受信した無線電波を音声信号に復調した後、ＣＰＵ１１へ伝送する。なお、送受信部１４は、テレビジョン装置２００に予め内蔵されていなくともよく、必要に応じて、送受信部１４に相当するユニットを外付けできるように構成してもよい。
【００５２】
ＯＳＤ部１６は、ＣＰＵ１１からの制御指令に応答して、ディスプレイ７にユーザインターフェイス画面を表示するための映像データを生成し、ＣＰＵ１１を介して映像処理部６へ出力する。
【００５３】
特に、本実施の形態に従うＣＰＵ１１は、操作入力部９またはリモコン受光部１０から与えられるユーザ操作に応答して、もしくはＩＰ電話機能部１１Ａによる着信処理の発生に応答して、「視聴モード」もしくは「電話モード」のいずれかを選択する。
【００５４】
「視聴モード」の選択中においては、ＣＰＵ１１は、ＩＰ電話機能部１１Ａから音声処理部４への受話音声信号の出力を遮断し、テレビジョン装置２００からリモコン装置２５０への送信を無効化する。すなわち、「視聴モード」では、音声処理部４から放送音声信号のみが出力される。
【００５５】
一方、「電話モード」の選択中においては、ＣＰＵ１１は、音声処理部４に制御指令を与え、音声処理部４からの放送音声信号の出力を遮断し、テレビジョン装置２００からリモコン装置２５０への送信を無効化する。すなわち、「電話モード」では、音声処理部４から受話音声信号のみが出力される。
【００５６】
このような処理によって、通話中の受話音声に放送音声が混入することを防止でき、テレビジョン放送の視聴中に電話着信があっても、快適に通話を行なうことができる。
【００５７】
（リモコン装置２５０の構成）
図３は、リモコン装置２５０の概略構成図である。
【００５８】
図３を参照して、リモコン装置２５０は、ＣＰＵ２１と、送受信部２２と、音声処理部２３と、マイク部２４と、リモコン送信部２５と、ＲＯＭ２６と、ＲＡＭ２７と、操作入力部２８と、ジャック部Ｊ１とを含む。
【００５９】
ＣＰＵ２１は、リモコン装置２５０を構成する各部位を制御するための制御部である。
送受信部２２は、テレビジョン装置２００（図１）との間で音声信号を送受信するための部位であり、音声処理部４からＣＰＵ２１を介して受取る音声信号を変調した無線電波を送信するとともに、テレビジョン装置２００から受信した無線電波を音声信号に復調した後、ＣＰＵ２１を介して音声処理部２３へ伝送する。
【００６０】
音声処理部２３は、ジャック部Ｊ１およびＣＰＵ２１に接続され、ＣＰＵ２１からの制御指令に応じて、送受信部２２で受信されるデジタル化された音声信号をアナログの音声信号に変換して、ジャック部Ｊ１を介して外部出力する。また、音声処理部２３は、ジャック部Ｊ１を介してヘッドセット３０６から入力されるアナログの音声信号をデジタル化した後、送受信部２２へ与える。代替的に、音声処理部２３は、リモコン装置２５０に含まれるマイク部２４から与えられるアナログの音声信号をデジタル化した後、送受信部２２へ与える。
【００６１】
さらに、音声処理部２３は、ジャック部Ｊ１へ向けて出力する音声信号、もしくはジャック部Ｊ１から入力される音声信号に基づいて、ジャック部Ｊ１へのヘッドセット３０６の接続状態を判断する。一例として、音声処理部２３は、出力される音声信号の電流値（もしくは、イピーダンス値）の大きさに基づいて、ヘッドセット３０６が接続状態であるか、非接続状態であるかを判断する。
【００６２】
マイク部２４は、リモコン装置２５０の表面部などに配置され、ユーザが発する音声を集音し、当該集音した音声に応じた音声信号を生成する。そして、マイク部２４は、生成した音声信号を音声処理部２３へ出力する。
【００６３】
リモコン送信部２５は、ユーザの操作による操作入力部２８からの操作指令をＣＰＵ２１を介して受取ると、当該操作指令によって変調された赤外線ＲＦを発光する。なお、赤外線ＲＦは、音声信号を送受信する無線電波に比較して消費電力が少なく、かつユーザによる操作時においてのみ発せられる。
【００６４】
ＲＯＭ２６は、ＣＰＵ２１で実行されるプログラムなどを予め格納しており、リモコン装置２５０の起動時にＣＰＵ２２によって読み出される。
【００６５】
ＲＡＭ２７は、ＣＰＵ２１と接続され、ＣＰＵ２１で実行される処理中に生じる一時的なデータなどを格納するワークメモリとして機能する。
【００６６】
操作入力部２８は、ユーザ操作を受付けるユーザインターフェイスとして機能し、リモコン装置２５０本体の表面などに設けられる。一例として、操作入力部２８は、キーボタンなどで構成してもよい。
【００６７】
（使用態様）
本発明の実施の形態に従うテレビジョンシステム１００の使用態様について以下に詳述する。
【００６８】
図４は、「電話モード」の選択時におけるテレビジョンシステム１００の使用態様を示す図である。
【００６９】
図４（ａ）は、リモコン装置２５０にヘッドセット３０６が接続された状態を示す。
図４（ｂ）は、リモコン装置２５０にヘッドセット３０６が接続されていない状態を示す。
【００７０】
図４（ａ）を参照して、ユーザがヘッドセット３０６をリモコン装置２５０に接続すると、リモコン装置２５０の音声処理部２３（図３）は、ヘッドセット３０６が接続状態であると判断し、ＣＰＵ２１（図３）へその判断結果を出力する。この判断結果に応答して、ＣＰＵ２１は、送受信部２２（図３）で受信されるテレビジョン装置２００からの受話音声信号を音声処理部２３へ与える。そして、音声処理部２３は、その受話音声信号をジャック部Ｊ１を介してヘッドセット３０６へ出力する。すると、スピーカ部３０８から受話音声が出力される。
【００７１】
一方、ユーザが発した送話音声は、ヘッドセット３０６のマイク部３１０で受話音声信号に変換され、ジャック部Ｊ１を介してリモコン装置２５０へ与えられる。そして、当該受話音声信号は、音声処理部２３からＣＰＵ２１を介して送受信部２２（図３）へ与えられ、テレビジョン装置２００へ送信される。
【００７２】
したがって、無線電波ＲＤには、テレビジョン装置２００からリモコン装置２５０へ送信される受話音声信号、およびリモコン装置２５０からテレビジョン装置２００へ送信される送話音声信号が含まれる。
【００７３】
図４（ｂ）を参照して、ユーザがヘッドセット３０６をリモコン装置２５０から取り外すと、リモコン装置２５０の音声処理部２３（図３）は、ヘッドセット３０６が非接続状態であると判断し、ＣＰＵ２１（図３）へその判断結果を出力する。この判断結果に応答して、ＣＰＵ２１は、送受信部２２（図３）を介して非接続状態の通知をテレビジョン装置２００へ送信する。すると、テレビジョン装置２００のＣＰＵ１１（図２）は、音声処理部４（図２）へ制御指令を与え、受話音声をテレビジョン装置２００のスピーカ部５から出力させる。
【００７４】
一方、ユーザが発した送話音声は、ヘッドセット３０６のマイク部３１０で受話音声信号に変換され、ジャック部Ｊ１を介してリモコン装置２５０へ与えられる。そして、当該受話音声信号は、リモコン装置２５０の音声処理部２３からＣＰＵ２１を介して送受信部２２（図３）へ与えられ、テレビジョン装置２００へ送信される。
【００７５】
したがって、無線電波ＲＤには、リモコン装置２５０からテレビジョン装置２００へ送信される送話音声信号が含まれる。
【００７６】
図５は、「視聴モード」の選択時におけるテレビジョンシステム１００の使用態様を示す図である。
【００７７】
図５を参照して、ユーザがリモコン装置２５０を操作して、視聴モードが選択されると、当該選択信号に応答して、テレビジョン装置２００は、選択されたチャンネルに対応する放送信号から映像信号および放送音声信号を生成する。そして、テレビジョン装置２００は、当該生成された映像信号に応じた映像をその画面上に表示するとともに、放送音声信号を無線電波ＲＤを用いてリモコン装置２５０へ送信する。リモコン装置２５０の音声処理部２３（図３）は、その放送音声信号をジャック部Ｊ１を介してヘッドセット３０６へ出力する。すると、スピーカ部３０８から放送音声が出力される。
【００７８】
したがって、無線電波ＲＤには、テレビジョン装置２００からリモコン装置２５０へ送信される放送音声信号が含まれる
（ユーザインターフェイス）
本発明の実施の形態に従うテレビジョンシステム１００における電話使用時のユーザインターフェイスの一例について以下に説明する。
【００７９】
図６は、電話使用時のユーザインターフェイス表示の一例を示す図である。
図６（ａ）は、ダイヤル時におけるユーザインターフェイス表示の一例を示す図である。
【００８０】
図６（ｂ）は、通話中におけるユーザインターフェイス表示の一例を示す図である。
図６（ａ）を参照して、ユーザがリモコン装置２５０を操作して電話モードを選択すると、テレビジョン装置２００のＣＰＵ１１（図２）は、ＯＳＤ部１６（図２）へ制御指令を与える。ＯＳＤ部１６は、リモコン装置２５０の外観を表示するための映像データを映像処理部６（図２）へ出力する。映像処理部６は、直前まで視聴モードが選択されていれば、当該視聴モード時に受信されていた映像に、ＯＳＤ部１６から与えられる映像データを重畳してディスプレイ７へ出力する。その結果、ユーザに対しては、選択されたチャンエンルの映像の上に重ねて、リモコン装置２５０からのダイヤル入力を受付け状態であることを示す画面表示Ｒ１が表示される。なお、画面表示Ｒ１では、リモコン装置２５０から送信される操作指令に応答して、ユーザが行った操作を確認できるような表示、たとえば対応のボタンを押下げ状態に表示したり、対応のボタンの表示色を変更したりするような動的な表示も行われる。また、電話モードが選択されたことを示す「ＩＰ電話」の文字表示Ｒ２も表示される。
【００８１】
また、ユーザがリモコン装置２５０を操作して通話先の電話番号などを入力すると、入力された数字を時系列に反映する入力番号表示Ｒ３が表示される。さらに、電話番号の入力後、ユーザがリモコン装置２５０の発信ボタン（図示しない）を押圧すると、入力番号表示Ｒ３に表示される数字列が点滅して発呼処理が実行中であることがユーザに表示される。
【００８２】
発呼処理の後、通知先との間で回線接続が確立すると、図６（ｂ）に示すように、通話中であることを示すアイコンＲ４が表示される。そして、通話が終了すると、アイコンＲ４は消されて、視聴モードにおける映像表示に戻る。
【００８３】
上述の本実施の形態と特許請求の範囲との関係については、ＣＰＵ１１が「制御部」に相当し、放送信号受信部１が「放送用受信部」に相当し、ＩＰ電話機能部１１Ａが「ＩＰ電話機能部」が相当し、送受信部１４が「第１送受信部」に相当し、ヘッドセット１０２が「音声入出力装置」に相当し、送受信部２２が「第２送受信部」に相当し、音声処理部２３が「音声処理部」に相当する。
【００８４】
この発明の実施の形態によれば、ユーザが電話を使用する際に、テレビジョン装置２００で受信される受話音声は無線電波を介してリモコン装置２５０へ伝送され、リモコン装置２５０に接続されたヘッドセット３０６のスピーカ部３０８からユーザに向けて音声出力される。同時に、ユーザが発した送話音声は、リモコン装置２５０から無線信号を介してテレビジョン装置２００へ伝送され、通話先へ送出される。そのため、ユーザは、テレビジョン装置２００とリモコン装置２５０との間の無線電波が到達可能な距離範囲内における任意の位置で電話を使用することができる。さらに、ユーザは、リモコン装置２５０を用いてテレビジョン装置２００におけるチャンネル選択が可能である上に、テレビジョン装置２００からの放送音声を同一のヘッドセット３０６を用いて聞くことができる。このように、ユーザは、リモコン装置２５０を携帯することで、いずれの位置であっても、テレビジョン放送の視聴および通話を行うことができる。したがって、ユーザの使い勝手のよいテレビジョンシステムを実現できる。
【００８５】
また、この発明の実施の形態によれば、リモコン装置２５０に対して、任意のヘッドセットを装着することができるので、ユーザは、その使用形態に応じて、音質、重量、デザイン、フィット感などの面から最適なものを自由に選択して使用することができ、汎用性が高い。
【００８６】
また、この発明の実施の形態によれば、リモコン装置２５０から赤外線ＲＦを介して操作指令が伝送される一方で、無線電波ＲＤを介して音声信号が伝送される。そのため、従来のリモコン装置としての機能のみを使用する時、すなわちリモコン装置２５０に接続されたヘッドセット３０６を使用しない時には、より消費電力の少ない赤外線ＲＦだけが発せられることになり、リモコン装置２５０での消費電力を抑制できる。このため、リモコン装置２５０に搭載する電池の数などを削減でき、小型化および軽量化できる。
【００８７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【００８８】
【図１】本発明の実施の形態に従うテレビジョンシステムを含む全体構成を示す概略図である。
【図２】テレビジョン装置の概略構成図である。
【図３】リモコン装置の概略構成図である。
【図４】「電話モード」の選択時におけるテレビジョンシステムの使用態様を示す図である。
【図５】「視聴モード」の選択時におけるテレビジョンシステムの使用態様を示す図である。
【図６】電話使用時のユーザインターフェイス表示の一例を示す図である。
【符号の説明】
【００８９】
１  放送信号受信部、２  デスクランブラ、３  ＡＶデコーダ、４  音声処理部、５  スピーカ部、６  映像処理部、７  ディスプレイ、８  ネットワークインターフェイス（Ｉ／Ｆ）部、９  操作入力部、１０  リモコン受光部、１１，２１  ＣＰＵ、１１Ａ  電話機能部、１４，２２  送受信部、１６  ＯＳＤ部、２３  音声処理部、２４  マイク部、２５  リモコン送信部、２８  操作入力部、１００  テレビジョンシステム、１０２  ヘッドセット、２００  テレビジョン装置、２５０  リモコン装置、３０１  外部ネットワーク、３０４  宅内ネットワーク、３０６  ヘッドセット、３０８  スピーカ部、３０８  ヘッドセット、３１０  マイク部、３２０  電話機、ＡＮＴ  アンテナ、ＢＵＳ  バス、Ｊ１  ジャック部、ＲＤ  無線電波、ＲＦ  赤外線。
【図１】
2008166980.tif 000003
【図２】
2008166980.tif 000004
【図３】
2008166980.tif 000005
【図４】
2008166980.tif 000006
【図５】
2008166980.tif 000007
【図６】
2008166980.tif 000008